(57)【要約】【課題】容易に工事用シートの展張が可能な工事用シートの展張用吊り金具を提供する。【解決手段】工事用シートの展張用吊り金具１０は、支柱１の所定の位置に設けられた受け金具５に上から収納可能である。吊り金具１０は、本体部１１と、本体部１１の上方向に突出して設けられた一対の掛止部１２と、本体部１１に設けられ、本体部１１から外部へ突出自在に設けられた突出片とを含み、突出片は、本体部１１が受け金具５に挿入されるときは、外部へ突出せず、収納された後は、外部へ突出して、吊り金具１０が受け金具５から抜けるのを防止する。【選択図】図１
2007277985.tif 000002
【特許請求の範囲】
【請求項１】
所定の収納部に上から収納可能な工事用シートの展張用吊り金具であって、
本体部と、
前記本体部の上方向に突出して設けられた一対の掛止部と、
前記本体部から外部へ突出自在に設けられた突出片とを含み、
前記突出片は、前記本体部が前記収納部に挿入されるときは、外部へ突出せず、収納された後は、外部へ突出して、前記本体部が前記収納部から抜けるのを防止する、工事用シートの展張用吊り金具。
【請求項２】
前記本体部は、正面と、前記正面に連続して設けられ、相互に対向する一対の側面を有し、
前記突出片は、前記一対の側面に設けられる、請求項１に記載の工事用シートの展張用吊り金具。
【請求項３】
前記側面は上下方向に延在する開口部を有し、
前記突出片は、上方向に平坦部を有し、前記開口部よりも下方の前記正面部に一端を回動自在に保持され、前記開口部から突出可能に設けられた長手の部材であり、
前記本体部が前記収納部に挿入された後は、前記平坦部が、前記収納部に係合することによって、本体部が前記収納部から抜けるのを防止する、請求項１または２に記載の工事用シートの展張用吊り金具。
【請求項４】
請求項１から３に記載の前記工事用シートの吊り金具、および両端にそれぞれ係止部を有し前記両端部間の長さが調節可能な連結部材を用いて、係合孔を有する工事用シートを展張する工事用シートの展張方法であって、
２つの前記吊り金具を上下方向に前記工事用シートの長さ以上の間隔を空けて設けられた２つの収納部に収納し、
前記工事用シートの上側の係合孔を、上側に設けられた吊り金具の掛止部に係合し、
前記工事用シートの下側の係合孔を、前記連結部材の一方端側の係止部に係合し、他方端側の係止部を下側の吊り金具に係合し、
前記連結部材の長さを、前記工事用シートが展張されるような長さに調節することによって、工事用シートを展張する、工事用シートの展張方法。
【発明の詳細な説明】
【技術分野】
【０００１】
この発明は、工事用シートの展張用吊り金具および工事用シートの展張方法に関し、特に工事用シートの展張を容易に行える、工事用シートの吊り金具および工事用シートの展張方法に関する。
【背景技術】
【０００２】
従来の、養生ネットのような工事用シートの取付金具がたとえば、実開平４−７３１６８号公報（特許文献１）に開示されている。特許文献１によれば、建築工事用足場の建地パイプに着脱自在に緊結される取付金具本体に養生ネット掛止用の掛止部を設け、掛止部が、先端に同一上向き又は下向きの一対の掛止片を有するフック形状に成形した取付金具が開示されている。
【０００３】
他の同様の取付金具が、たとえば、特開平１１−３２４３３５号公報（特許文献２）に開示されている。特許文献２によれば、二股係止部と引掛け部とそれらを連結する連結具とからなり、二股係止部と引掛け部とを近隣で隣り合う２枚のシートの隣り合うハトメに係合させて養生ネットが展張されている。
【特許文献１】実開平４−７３１６８号公報（図１等）
【特許文献２】特開平１１−３２４３３５号公報（要約）
【発明の開示】
【発明が解決しようとする課題】
【０００４】
従来の工事用シートの展張用の取付け金物は上記のように構成されていた。建築工事用足場の相隣接する各外側建地パイプの上下方向端部に工事用シートのハトメを結束ロープ等を用いて固着していた。そのため、建築工事用足場の外周面への工事用シートの取り付けが面倒で、かつ時間がかかるばかりでなく、建築工事用足場の相隣接する各外側建地パイプに工事用シートの上部ハトメを、結束紐で掛止固着していたので、各工事用シートの相互間の通りが曲がりやすく、外観上の体裁が悪い等の問題があった。
【０００５】
この発明は、上述のような課題を解決するためになされたもので、容易に工事用シートの展張が可能な工事用シートの展張用吊り金具および工事用シートの展張方法を提供することを目的とする。
【課題を解決するための手段】
【０００６】
この発明に係る工事用シートの展張用吊り金具は、所定の収納部に上から収納可能である。工事用シートの展張用吊り金具は、本体部と、本体部の上方向に突出して設けられた一対の掛止部と、本体部から外部へ突出自在に設けられた突出片とを含み、突出片は、本体部が収納部に挿入されるときは、外部へ突出せず、収納された後は、外部へ突出して、本体部が収納部から抜けるのを防止する。
【０００７】
工事用シートの展張用吊り金具は、所定の収納部に上から収納可能であり、本体部の上方向には一対の掛止部が設けられるとともに、本体部には、収納時には突出せず、収納後に突出する突出片が設けられるため、一旦収納されると、外れることなく所定の収納部に保持され、一対の掛止部で工事用シートの隅にあるハトメを保持する。
【０００８】
その結果、所定の位置に確実に保持される工事用シートの展張用吊り金具を提供できる。
【０００９】
好ましくは、本体部は、正面と、正面に連続して設けられ、相互に対向する一対の側面を有し、突出片は、一対の側面に設けられる。
【００１０】
さらに好ましくは、側面は上下方向に延在する開口部を有し、突出片は、上方向に平坦部を有し、開口部よりも下方の正面部に一端を回動自在に保持され、開口部から突出可能に設けられた長手の部材であり、本体部が収納部に挿入された後は、平坦部が、収納部に係合することによって、本体部が収納部から抜けるのを防止する。
【００１１】
この発明の他の局面によれば、工事用シートの展張方法は、上記した工事用シートの展張用吊り金具、および両端にそれぞれ係止部を有し両端部間の長さが調節可能な連結部材を用いて、係合孔を有する工事用シートを展張する方法である。工事用シートの展張方法は、２つの工事用シートの展張用吊り金具を上下方向に工事用シートの長さ以上の間隔を空けて設けられた２つの収納部に収納し、工事用シートの上側の係合孔を、上側に設けられた吊り金具の掛止部に係合し、工事用シートの下側の係合孔を、連結部材の一方端側の係止部に係合し、他方端側の係止部を下側の吊り金具に係合し、連結部材の長さを、工事用シートが展張されるような長さに調節することによって、工事用シートを展張する。
【発明を実施するための最良の形態】
【００１２】
以下、この発明の一実施の形態を、図面を参照して説明する。図１は、鋼管足場とその支柱と工事用シート展張用の吊り金具の一例を示している。図１（Ａ）に示す鋼管足場を参照して、所定間隔おきに支柱１が建て付けられ、この支柱１間に布材２と腕木３が同じ高さで複数段にそれそれ架け渡され、さらに各腕木３間に踏板４がそれぞれ架け渡されている。支柱１、布材２および腕木３には足場用鋼管が使用され、踏板４には金属製踏板が使用されている。
【００１３】
支柱１の工事用シートを取付ける部分（図１（Ａ）において手前側）には、工事用シート展張用の吊り金具を収納可能に保持する収納部として機能する、受け金具５が設けられている。図１（Ｂ）は図１（Ａ）においてＢで示した、支柱１と腕木３との交差部分の拡大図である。図１（Ｂ）を参照して、支柱１には、上下方向に間隔を開けて、円周方向に相互に９０°離れて４個の受け金具５が設けられている。
【００１４】
各受け金具５にはそれそれ、平面矩形状で上下方向に貫通した孔５ａが形成されている。孔５ａは上端部の幅が一番大きく、下方向に徐々に狭くなるように形成されている方が好ましい。受け金具５は底なしであるため、雨水やゴミ等の蓄積がない。
【００１５】
図１（Ｃ）は、工事用シート展張用の吊り金具１０を示す図である。図１（Ｃ）を参照して、吊り金具１０の本体部１１が受け金具５の孔５ａに挿入される。吊り金具１０は、上方向伸びる一対の鈎形に形成された掛止部１２ａ，１２ｂを有し、ここに工事用シートの隅に設けられているハトメを掛ける。
【００１６】
孔５ａは水平方向の一定の高さに存在しているので、工事用シートの上部のラインは一定になる。
【００１７】
図２は吊り金具１０の詳細を示す図である。図２（Ａ）は吊り金具１０を掛止部１２の突出している正面側から見た図であり、図２（Ｂ）は、図２（Ａ）において、Ｂ−Ｂで示す方向から見た図であり、図２（Ｃ）は、図２（Ｂ）において、Ｃ−Ｃで示す方向から見た図であり、図２（Ｄ）は、平面図である。
【００１８】
図２（Ａ）〜図２（Ｄ）を参照して、吊り金具１０は、本体部１１と、本体部１１の上方向に突出して設けられた一対の棒状の掛止部１２ａ，１２ｂとを含む。一対の掛止部１２ａおよび１２ｂは、平面視「コ」の字状の中央部１２ｃで接続されている。一対の掛止部１２ａおよび１２ｂと中央部１２ｃとの接続部１２ｄは、下方向に折れ曲がっている。これによって、後に説明する、工事用シートの展張時にハトメの位置決めが容易になる。
本体部１１は正面部１１ｃと、正面部１１ｃの両端に直角に曲げて設けられた一対の側面部１１ａ，１１ｂを含む。正面部１１ｃに対して側面部１１ａ，１１ｂの長さが長い。掛止部１２ａ，１２ｂは中央部１２ｃで側面部１１ａ，１１ｂの上端に取付けられている
ため、正面部１１ｃと掛止部１２の中央部１２ｃとの間には空間１１ｄが形成される。
【００１９】
一対の側面部１１ａ，１１ｂには、開口１４ａが形成されている。一方、正面部１１ｃの裏面には、本体部１１の下端部近傍に設けられた軸１３ｃを中心として、それぞれが、図２（Ｃ）において矢印ａおよびｂ方向に移動可能な一対の突出片１３ａ，１３ｂが設けられている。一対の突出片１３ａ，１３ｂは、それぞれ、突出片１３ａ，１３ｂが側面部１１ａ，１１ｂの開口部１４ａから突出したときに、水平となる平端部１３１ａ、１３１ｂと、平端部１３１ａ、１３１ｂに連続して軸１３Ｃ方向に延びる傾斜部１３２ａ，１３２ｂと、傾斜部１３２ａ，１３２ｂのほぼ中央に設けられ、一対の突出片１３ａ，１３ｂが外部へ突出したとき開口１４ａに安定して係合するための段差部１３３ａ，１３３ｂとを含む。
【００２０】
本体部１１ｃの中央部には、切欠１１ｅが設けられ、この部分が正面から裏面側に折り曲げられて舌片部１１ｆを構成している。舌片部１１ｆは、一対の突出片１３ａ，１３ｂが軸１３ｃを中心に回転したとき、両者が同じ側に移動しないようにするストッパとして機能する。
【００２１】
図３は、支柱１に取付けられた受け金具５に吊り金具１０が上から挿入された状態を示す図である。図３（Ａ）は平面図であり、図３（Ｂ）は図３（Ａ）においてＢ−Ｂで示す矢視図であり、図３（Ｃ）は図３（Ｂ）においてＣ−Ｃで示す矢視図である。なお、図３（Ｂ）においては、受け金具および吊り金具のみを断面図で示している。
【００２２】
図３（Ａ）〜（Ｃ）を参照して、受け金具５に吊り金具１０が上から挿入されるときは、吊り金具１０の一対の突出片１３ａ，１３ｂは、本体部１１に対して突出自在であるため、一対の突出片１３ａ，１３ｂは邪魔にならずに受け金具５に挿入される。
【００２３】
一方、一旦、吊り金具１０が受け金具５に挿入されると、一対の突出片１３ａ，１３ｂは図３（Ｃ）に示すように外部に突出するため、上方向から吊り金具１０を引き抜こうとしても、平端部１３１ａ、１３１ｂが受け金具５の下端部５ｂに邪魔されて引き抜けない。
【００２４】
次に、工事用シートを展張するために使用する連結部材について説明する。図４は、連結部材２０を示す図である。図４を参照して、連結部材２０は、工事用シートのハトメに係合する一対の係止部２１ａ，２１ｂを有する第１係止部２１と、吊り金具１０に係合する係止部２２を有する第２係止部２２と、第１および第２係止部２１，２２をその間の距離を変更自在に接続する連結部２６とを含む。
【００２５】
連結部２６は、第１係止部２１に接続された第１ベルト２５と、第２係止部２２に接続された第２ベルト２４と、第１ベルト２５および第２ベルト２４を結合する結合部２３とを含む。結合部２３は、長手方向の両端部に一対のフランジ２３ａを有し、そのフランジ２３ａ間を４つの接続部２３ｂ〜２３ｅで接続した矩形状の金具で、第１および第２ベルト２４，２５を巻きつけ可能な幅寸法を有している。
【００２６】
第１ベルト２５は、その一端を、一対の係止部２１ａ，２１ｂを接続する接続部２１ｃに接続され、他方端を連結部２３の第３接続部２３ｄに接続されている。この第１ベルト２５は、固定した長さを有している。
【００２７】
一方、第２ベルト２４は、その一端２４ａを、係止部２２に接続され、他方端２４ｂは、連結部２３の下面から第３接続部２３ｄに巻きつけたのち、第３接続部２３ｄと第４接続部２３ｅとで形成された溝２３ｆ、第４接続部２３ｅの下面を通って手前側に延びるように構成されている。これによって、第２ベルト２４の端部２４ｂを係止部２２側に引っ張ることにより、係止部２２と連結部２３との長さ、すなわち、係止部２１と係止部２２との間の寸法を調節可能になる。
【００２８】
次に、受け金具５に保持された吊り金具１０および連結部材２０を用いて工事用シートを展張する方法について説明する。図５は、この方法を示す図である。図５を参照して、支柱１に工事用シート３０の上下方向寸法より長い、所定の間隔を開けて設けられた受け金具５ｄ、５ｅにそれぞれ吊り金具１０ａ，１０ｂを挿入する。この状態で、矩形の工事用シート３０の上端の一方（たとえば右上）に設けられたハトメ（係合孔）３０ａを吊り金具１０の掛止部１２ｂに掛ける。このとき、上記したように、掛止部１２の折れ曲がり部１２ｄにより、工事用シートの位置決めが容易になる。なお、図中では省略しているが、左上のハトメも同様に別の吊り金具の掛止部１２ａに掛ける。
【００２９】
次に、工事用シート３０の下端の一方（ここでは右下）に設けられたハトメ３０ｂを連結部材２０の、第１係止部２１の係止部２１ａに係合させる。この状態で、連結部材２０の他方側の端部である第２係止部２２を、下側に設けられた受け金具５ｅに挿入された吊り金具１０ｂの中央部１２ｃに係合させる。その後、連結部材２０の端部２４ｂの突出量を調整することによって、連結部材２０の長さを調節し、工事用シート３０を展張させる。第２係止部２２を、下側に設けられた吊り金具１０ｂの中央部１２ｃにおける位置決めを容易にするために、中央部１２ｃの水平方向中央部に上方向の折れ曲がり部を設けても良い。
【００３０】
なお、図では、工事用シート３０のみを展張する場合を示しているが、掛止部１２ａおよび２１ｂを用いて、図示のない、隣接した工事用シートを展張してもよい。
【００３１】
次に、工事用シート３０を取り外す場合について説明する。このときは、図５において、下側の受け金具５ｅに保持された吊り金具１０ｂの１３ａ，１３ｂを指で開口１４ａに押し込むことによって、受け金具５ｅから容易に吊り金具１０ｂを取り外すことができる。したがって、工事用シート３０の取付け取り外しが容易である。
【００３２】
なお、上記実施の形態においては、吊り金具の掛止部は一対設けるようにしたが、これにかぎらず、１個でもよい。
【００３３】
また、上記実施の形態においては、突出片を吊り金具の両側面に設けた場合について説明したが、これに限らず、正面部に１個設けてもよい。
【００３４】
また、上記実施の形態においての連結部材２０は、上下の係止部を結合部と結合部に取付けられた第１および第２のベルトとからなる連結部で構成した場合について説明したが、これに限らず、上下の係止部間の寸法を任意に調整できる構成であれば、任意の連結部材を用いてもよい。
【００３５】
また、連結部材は、両端部に係止部を有し、その間をゴム等の伸縮可能な弾性体で接続したものであってもよい。
【００３６】
また、上記実施の形態においては、腕木の両端を支柱で支持した場合について説明したが、これに限らず、工事用シートを取付けない側（図１（Ａ）において奥側）には、支柱１を設けることなく、腕木を片持ち梁形式で支持してもよい。
【００３７】
また、上記実施の形態においては、４個の受け金具が、支柱の同じ高さに設けられた例を示したが、これに限らず、それぞれの位置を高さ方向にずらしてもよい。
【００３８】
さらに、受け金具は、支柱の任意の位置に任意の個数設けてもよい。
【００３９】
また、この工事用シートの展張用吊り金具およびそれを用いた工事用シートの展張方法は、低層住宅用足場の工事用シートの展張に使用するのが好ましい。
【００４０】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００４１】
【図１】鋼管足場の一例を示し、（Ａ）はその一部斜視図、（Ｂ）は支柱を受け金具とを示す図であり、（Ｃ）は吊り金具を示す斜視図である。
【図２】吊り金具を示す図である。
【図３】受け金具に吊り金具を挿入した状態を示す図である。
【図４】連結部材を示す図である。
【図５】工事用シート展張方法を説明するための図である。
【符号の説明】
【００４２】
１  支柱、２  布材、３  腕木、４  踏板、５  受け金具、１０  吊り金具、１１  
本体部、１２  掛止部、１３  突出片、１４  開口、２０  連結部材、２１係止部、
２２  係止部、２３  結合部、２６連結部、２４  第２ベルト、２５  第１ベルト、
３０  工事用シート。
【図１】
2007277985.tif 000003
【図２】
2007277985.tif 000004
【図３】
2007277985.tif 000005
【図４】
2007277985.tif 000006
【図５】
2007277985.tif 000007